(57)【特許請求の範囲】
【請求項１】
筒部材、この筒部材内に上下移動可能に取付けられた口紅等を支持する皿部材、前記筒部材の下端部に該筒部材に回転可能に取付けられた嵌合部材およびこの嵌合部材と前記筒部材とを回動させることにより前記皿部材を上下移動させる上下移動機構とからなる口紅等の収納容器体と、この口紅等の収納容器体の下部を覆うとともに、該口紅等の収納容器体の嵌合部材に嵌合固定されたハカマ部材と、前記口紅等の収納容器体の上部外周部を回動可能に覆うとともに、下端部が前記ハカマ部材内に上下移動可能に取付けられた外筒と、この外筒の上部を開閉する該外筒の上部に取付けられた開閉蓋と、前記外筒を下方へスライド移動させ、該外筒の上端部より上方に前記口紅等の収納容器体の上部が突出した状態で、該口紅等の収納容器体の筒部材と外筒とを一体に回動させるように係止させる係止機構とを備えることを特徴とする口紅等の収納容器。
【請求項２】
筒部材、この筒部材内に上下移動可能に取付けられた口紅等を支持する皿部材、前記筒部材の下端部に該筒部材に回転可能に取付けられた嵌合部材およびこの嵌合部材と前記筒部材とを回動させることにより前記皿部材を上下移動させる上下移動機構とからなる口紅等の収納容器体と、この口紅等の収納容器体の下部を覆うとともに、該口紅等の収納容器体の嵌合部材に嵌合固定されたハカマ部材と、前記口紅等の収納容器体の上部外周部を覆うとともに下端部が前記ハカマ部材内に上下移動可能に取付けられた外筒と、この外筒の上部を開閉する該外筒の上部に取付けられた開閉蓋と、前記外筒が上部に位置し前記開閉蓋が閉じている状態では該外筒と前記ハカマ部材との回動を阻止する回動阻止機構と、前記外筒を下方へスライド移動させ、該外筒の上端部より上方に前記口紅等の収納容器体の上部が突出した状態で該口紅等の収納容器体の筒部材と外筒とを一体に回動させるように係止させる係止機構とを備えることを特徴とする口紅等の収納容器。
【請求項３】
ハカマ部材に口紅等の収納容器体の嵌合部材を着脱可能に取付けたことを特徴とする請求項１あるいは請求項２記載の口紅等の収納容器。
【請求項４】
ハカマ部材と外筒との間には気密を図るためのＯリングが介装されていることを特徴とする請求項１あるいは請求項２記載の口紅等の収納容器。
【発明の詳細な説明】
【０００１】
【発明の属する技術分野】
本発明は口紅、リップクリーム、スチックアイシャドウ、スチックファンデーション等の棒状化粧品を収納する口紅等の収納容器に関する。
【０００２】
【従来の技術】
従来の口紅収納容器はハカマ部材と筒部材とを持って回動させることにより、該筒部材内に収納された口紅を筒部材の上端部より出没させる構造を用いており、不使用時にはハカマ部材のキャップ嵌合部と嵌合する筒部材の外周部を覆う筒状のキャップを用いている。
【０００３】
【発明が解決しようとする課題】
従来の口紅収納容器はハカマ部材のキャップ嵌合部に着脱可能に嵌合する筒状のキャップを用いているので、使用時にキャップを取り外すため、その置き場に苦労したり、使用後にキャップを見つけるのに苦労したりするという欠点があった。
【０００４】
本発明は以上のような従来の欠点に鑑み、口紅等を覆う外筒の開口部を外筒から外れることのない開閉蓋で開閉できるようにして、キャップを外して使用する容器の不具合を解消するとともに、開閉蓋が開放状態にならない場合には筒部材の回動が不能で、口紅等の出没を阻止して安全に使用することができる口紅等の収納容器を提供することを目的としている。
【０００５】
本発明の前記ならびにそのほかの目的と新規な特徴は次に説明を添付図面と照らし合わせて読むと、より完全に明らかになるであろう。
ただし、図面はもっぱら解説のためのものであって、本発明の技術的範囲を限定するものではない。
【０００６】
【課題を解決するための手段】
上記目的を達成するために本発明は筒部材、この筒部材内に上下移動可能に取付けられた口紅等を支持する皿部材、前記筒部材の下端部に該筒部材に回転可能に取付けられた嵌合部材およびこの嵌合部材と前記筒部材とを回動させることにより前記皿部材を上下移動させる上下移動機構とからなる口紅等の収納容器体と、この口紅等の収納容器体の下部を覆うとともに、該口紅等の収納容器体の嵌合部材に嵌合固定されたハカマ部材と、前記口紅等の収納容器体の上部外周部を回動可能に覆うとともに、下端部が前記ハカマ部材内に上下移動可能に取付けられた外筒と、この外筒の上部を開閉する該外筒の上部に取付けられた開閉蓋と、前記外筒を下方へスライド移動させ、該外筒の上端部より上方に前記口紅等の収納容器体の上部が突出した状態で、該口紅等の収納容器体の筒部材と外筒とを一体に回動させるように係止させる係止機構とで口紅等の収納容器を構成している。
【０００７】
【発明の実施の形態】
以下、図面に示す実施の形態により、本発明を詳細に説明する。
【０００８】
図１ないし図５の本発明の第１の実施の形態において、１は口紅等の収納容器体で、この口紅等の収納容器体１は筒部材２と、この筒部材２内に上下移動可能に取付けられた口紅等、本実施の形態では口紅３を支持する皿部材４と、前記筒部材２の下端部にあるいは下端部より下方へ突出するように、該筒部材２に回転可能なカシメ状態で取付けられた嵌合部材５と、この嵌合部材５と前記筒部材２とを回動させることにより前記皿部材４を上下移動させる上下移動機構６とで構成されている。
【０００９】
前記上下移動機構６は前記筒部材２の下部側に形成された軸心方向の切欠部７と、前記嵌合部材５に一体成形されたねじ棒８と、このねじ棒８と螺合するねじ部９が下端部に形成された、前記皿部材４の下端部と一体成形されたねじ筒１０と、このねじ筒１０の下部寄りの外周部に形成された前記切欠部７と係合する係合ピン１１とで構成されている。
【００１０】
１２は前記口紅等の収納容器体１の下部を覆うハカマ部材で、このハカマ部材１２の内底面には前記口紅等の収納容器体１の嵌合部材５が嵌合固定される嵌合部１３が形成され、上面にはリング状のストッパー片１４が形成されている。
【００１１】
１５は前記口紅等の収納容器体１の上部外周部を回動可能に覆うとともに、下端部が前記ハカマ部材１２内に挿入された上下移動可能な外筒で、この外筒１５の下端部には前記ハカマ部材１２のストッパー片１４と当接するストッパー１６が形成され、上部には該外筒１５の上部開口部１５ａを開口する付勢スプリング１７によって常時閉方向に付勢される開閉蓋１８が枢支ピン１９によって取付けられている。
【００１２】
２０は前記外筒１５を下方へスライド移動させ、該外筒１５の上端部より上方に前記口紅等の収納容器体１の上部が突出した状態で該口紅等の収納容器体１の筒部材２と外筒１５とを一体に回動させるように係止させる係止機構で、この係止機構２０は前記筒部材２のほぼ中央外周部に所定間隔で外方に突出するように形成された複数個の係止片２１と、前記外筒１５の上部寄りの内壁面に形成された少なくとも１個以上の前記係止片２１間に挿入される係合片２２とで構成されている。
【００１３】
上記構成の口紅等の収納容器２３は外筒１５を上部に位置させることにより、開閉蓋１８が付勢スプリング１７の付勢力によって外筒１５の上部開口部１５ａを閉じた状態となる。
【００１４】
この時、外筒１５の係止片２２は筒部材２の係止片２１との係合が解除された状態となり、ハカマ部材１２と外筒１５とを回動させても、筒部材２はハカマ部材１２と一体になって回動し、口紅３の上下移動は行なわれない。
【００１５】
使用する場合には外筒１５を図５に示すように下方へスライド移動させると、開閉蓋１８は開放するとともに、外筒１５の係合片２２が筒部材２の係止片２１と係合する。
【００１６】
この状態でハカマ部材１２と外筒１５とを回動させることにより、外筒１５と筒部材２とが一体となって回動し、上下移動機構６が作動して、皿部材４が筒部材２内を上下方向に移動し、口紅３を筒部材２の上端部より出没させることができる。
【００１７】
【発明の異なる実施の形態】
次に、図６ないし図２３に示す本発明の異なる実施の形態につき説明する。なお、これらの本発明の異なる実施の形態の説明に当って、前記本発明の第１の実施の形態と同一構成部分には同一符号を付して重複する説明を省略する。
【００１８】
図６および図７の本発明の第２の実施の形態において、前記本発明の第１の実施の形態と主に異なる点は、ハカマ部材１２の嵌合部１３に係止部２４を形成するとともに、口紅等の収納容器体１の嵌合部材５に前記係止部２４と着脱可能に係合する係合部２５を形成してハカマ部材１２と口紅等の収納容器体１とを着脱することができるようにした点で、このように構成した口紅等の収納容器２３Ａにしても前記本発明の第１の実施の形態と同様な作用効果が得られるとともに、ハカマ部材１２より口紅等の収納容器体１を容易に着脱させることができる。
【００１９】
図８ないし図１０の本発明の第３の実施の形態において、前記本発明の第１の実施の形態と主に異なる点は、外筒１５と開閉蓋１８とを薄肉のヒンジ部材２６を介して一体に形成するともに、外筒１５の下部外周部に該外筒１５とハカマ部材１２との間の密封を図るためのＯリング支持部２７を形成してＯリング２８を介装した点で、このように構成した口紅等の収納容器２３Ｂにしても、前記本発明の第１の実施の形態と同様な作用効果が得られるとともに、ハカマ部材１２や外筒１５内の気密を図ることができる。
【００２０】
図１１および図１２の本発明の第４の実施の形態において、前記本発明の第３の実施の形態と主に異なる点は、ハカマ部材１２の上部内壁面にＯリング支持部２９を形成してＯリング２８を支持させた点で、このように構成した口紅等の収納容器２３Ｃにしても、前記本発明の第３の実施の形態と同様な作用効果が得られる。
【００２１】
図１３ないし図１５の本発明の第５の実施の形態において、前記本発明の第１の実施の形態と主に異なる点は、上面を傾斜面に形成した筒部材２Ａを用いた口紅等の収納容器体１Ａと、上部が傾斜面に形成された外筒１５Ａを用いるとともに、外筒１５Ａが上部に位置し開閉蓋１８Ａが閉じている状態では外筒１５Ａとハカマ部材１２との回動を阻止する回動阻止機構３０を設けた点で、このように構成した口紅等の収納容器２３Ｄにしても、前記本発明の第１の実施の形態と同様な作用効果が得られるとともに、上面が傾斜面のデザインを選択することができる。
【００２２】
なお、前記回動阻止機構３０はハカマ部材１２の内壁面に下端部を除く部位に形成された軸心方向に多数個の溝３１を形成するための多数個の突片３２と、外筒１５Ａの下端外周部に形成された外筒１５Ａが下部に位置すると、前記溝３１との係合が解除される係合片３３とで構成されている。
【００２３】
図１６および図１７の本発明の第６の実施の形態において、前記本発明の第５の実施の形態と主に異なる点は、ハカマ部材１２の嵌合部１３に係止部２４を形成するとともに、口紅等の収納容器体１Ａの嵌合部材５に前記係止部２４と着脱可能に係合する係合部２５を形成して、ハカマ部材１２と口紅等の収納容器体１Ａとを着脱することができるようにした点で、このように構成した口紅等の収納容器２３Ｅにしてもよい。
【００２４】
図１８および図１９の本発明の第７の実施の形態において、前記本発明の第５の実施の形態と主に異なる点は、ハカマ部材１２の上部内壁面にＯリング支持部２９を形成してＯリング２８を支持させた点で、このように構成した口紅等の収納容器２３Ｆにしてもよい。
【００２５】
図２０および図２１の本発明の第８の実施の形態において、前記本発明の第１の実施の形態と主に異なる点は口紅等の収納容器体１Ｂの上下移動機構６で、この上下移動機構６は筒部材２の上部寄りの内壁面に形成された軸心方向の切欠溝３４と、この切欠溝３４と係合する皿部材４の外周部に形成された係合ピン１１と、皿部材４の下面ほぼ中央部より下方へ突出するように形成されたねじ棒３５と、このねじ棒３５と螺合されるねじ部３６が上部に形成された嵌合部材５と一体成形のねじ筒３７とで構成されている。
このような上下移動機構６を用いた口紅等の収納容器体１Ｂを使用した口紅等の収納容器２３Ｇにしてもよい。
【００２６】
図２２および図２３の本発明の第９の実施の形態において、前記本発明の第５の実施の形態と主に異なる点は口紅等の収納容器体１Ｃの上下移動機構６Ａで、この上下移動機構６Ａは筒部材２Ａの上部寄りの内壁面に形成された軸心方向の切欠溝３４と、この切欠溝３４と係合する皿部材４の外周部に形成された係合ピン１１と、皿部材４の下面ほぼ中央部より下方へ突出するように形成されたねじ棒３５と、このねじ棒３５と螺合されるねじ部３６が上部に形成された嵌合部材５と一体成形されたねじ筒３７とで構成されている。
このような上下移動機構６Ａを用いた口紅等の収納容器体１Ｃを使用した口紅等の収納容器２３Ｈにしてもよい。
【００２７】
【発明の効果】
以上の説明から明らかなように、本発明にあっては次に列挙する効果が得られる。
【００２８】
（１）筒部材、この筒部材内に上下移動可能に取付けられた口紅等を支持する皿部材、前記筒部材の下端部に該筒部材に回転可能に取付けられた嵌合部材およびこの嵌合部材と前記筒部材とを回動させることにより前記皿部材を上下移動させる上下移動機構とからなる口紅等の収納容器体と、この口紅等の収納容器体の下部を覆うとともに、該口紅等の収納容器体の嵌合部材に嵌合固定されたハカマ部材と、前記口紅等の収納容器体の上部外周部を回動可能に覆うとともに、下端部が前記ハカマ部材内に上下移動可能に取付けられた外筒と、この外筒の上部を開閉する該外筒の上部に取付けられた開閉蓋と、前記外筒を下方へスライド移動させ、該外筒の上端部より上方に前記口紅等の収納容器体の上部が突出した状態で、該口紅等の収納容器体の筒部材と外筒とを一体に回動させるように係止させる係止機構とで構成しているので、外筒を下方へスライド移動させ、係止機構で筒部材と外筒とを一体に回動させるように係止させなければハカマ部材と筒部材とが回動不能で口紅等の出没を阻止することができる。
したがって、不必要な口紅等の移動を防止でき、口紅等の損傷を効率よく防止することができる。
【００２９】
（２）外筒を下方へスライド移動させると従来と同様な操作で使用できるので、楽に使用することができるとともに、開閉蓋が外れることなく、見失ったり、置き場所に困ったりする不具合を防止することができる。
【００３０】
（３）前記（１）によって、構造が簡単であるので、比較的容易に製造することができる。
【００３１】
（４）請求項２も前記（１）〜（３）と同様な効果が得られる。
【００３２】
（５）請求項３も前記（１）〜（３）と同様な効果が得られるとともに、リフィール容器として使用することができる。
【００３３】
（６）請求項４も前記（１）〜（３）と同様な効果が得られるとともに、内部の気密を図ることができる。
【図面の簡単な説明】
【図１】本発明の第１の実施の形態の斜視図。
【図２】本発明の第１の実施の形態の開閉蓋の開放状態の斜視図。
【図３】本発明の第１の実施の形態の断面図。
【図４】図３の４−４線に沿う拡大断面図。
【図５】本発明の第１の実施の形態の使用状態の断面図。
【図６】本発明の第２の実施の形態の断面図。
【図７】本発明の第２の実施の形態の分解一部断面図。
【図８】本発明の第３の実施の形態の断面図。
【図９】本発明の第３の実施の形態のＯリング支持部の説明用断面図。
【図１０】本発明の第３の実施の形態の外筒の斜視図。
【図１１】本発明の第４の実施の形態の断面図。
【図１２】本発明の第４の実施の形態のハカマ部材の一部破断面図。
【図１３】本発明の第５の実施の形態の断面図。
【図１４】本発明の第５の実施の形態の使用状態の断面図。
【図１５】本発明の第５の実施の形態のハカマ部材の断面図。
【図１６】本発明の第６の実施の形態の断面図。
【図１７】本発明の第６の実施の形態の分解一部断面図。
【図１８】本発明の第７の実施の形態の断面図。
【図１９】本発明の第７の実施の形態のハカマ部材の一部破断面図。
【図２０】本発明の第８の実施の形態の断面図。
【図２１】本発明の第８の実施の形態の使用状態の断面図。
【図２２】本発明の第９の実施の形態の断面図。
【図２３】本発明の第９の実施の形態の使用状態の断面図。
【符号の説明】
１、１Ａ、１Ｂ、１Ｃ：口紅等の収納容器体、
２、２Ａ：筒部材、
３：口紅、
４：皿部材、
５：嵌合部材、
６、６Ａ：上下移動機構、
７：切欠部、
８：ねじ棒、
９：ねじ部、
１０：ねじ筒、
１１：係合ピン、
１２：ハカマ部材、
１３：嵌合部、
１４：ストッパー片、
１５：外筒、
１６：ストッパー、
１７：付勢スプリング、
１８：開閉蓋、
１９：枢支ピン、
２０：係止機構、
２１：係止片、
２２：係合片、
２３、２３Ａ〜２３Ｈ：口紅等の収納容器、
２４：係止部、
２５：係合部、
２６：ヒンジ部材、
２７：Ｏリング支持部、
２８：Ｏリング、
２９：Ｏリング支持部、
３０：回動阻止機構、
３１：溝、
３２：突片、
３３：係合片、
３４：切欠溝、
３５：ねじ棒、
３６：ねじ部、
３７：ねじ筒。
【図１】
0003859772.tif 000002
【図２】
0003859772.tif 000003
【図３】
0003859772.tif 000004
【図４】
0003859772.tif 000005
【図５】
0003859772.tif 000006
【図６】
0003859772.tif 000007
【図７】
0003859772.tif 000008
【図８】
0003859772.tif 000009
【図９】
0003859772.tif 000010
【図１０】
0003859772.tif 000011
【図１１】
0003859772.tif 000012
【図１２】
0003859772.tif 000013
【図１３】
0003859772.tif 000014
【図１４】
0003859772.tif 000015
【図１５】
0003859772.tif 000016
【図１６】
0003859772.tif 000017
【図１７】
0003859772.tif 000018
【図１８】
0003859772.tif 000019
【図１９】
0003859772.tif 000020
【図２０】
0003859772.tif 000021
【図２１】
0003859772.tif 000022
【図２２】
0003859772.tif 000023
【図２３】
0003859772.tif 000024